(57)【要約】【課題】  レーザ墨出し器を誤って落下させても、落下の際の衝撃を緩衝して光学系の精度の低下を抑えることができるレーザ墨出し器を提供する。【解決手段】  レーザ墨出し器１は、作業面に載置するための３本の支持脚５を備える支持部７の上面に被着されて、レーザ照射部及びジンバル機構部からなる本体部を覆い、レーザ照射部から照射されたレーザ光を外部へ出射するレーザ照射窓８を複数個備える本体ケース９の側面部９ｂに突設された電池収納部１１に、金属製の把手１０を回転自在に支持し、この把手１０を支持部７と反対側に回転させた際に、把手１０の保持部１０ｂが本体ケース９の上面部９ａに近付くように把手１０の両側片部１０ａを折り曲げ形成してある。【選択図】図１
2005181200.tif 000002
【特許請求の範囲】
【請求項１】
墨出しのためのレーザ光を照射するレーザ照射部、及び前記レーザ照射部を鉛直方向に起立した姿勢を保つように揺動自在に支持するジンバル機構部からなる本体部と、レーザ照射部からのレーザ光を外部へ出射するためのレーザ照射窓を複数有するとともに、鉛直方向に直交する方向を回転軸として回転自在に支持される略コ字状の金属製把手を有して前記本体部を覆う本体ケースと、前記本体部を鉛直方向を回転軸として回転自在に支持する支持部とを備えたレーザ墨出し器において、前記金属製把手を前記支持部とは反対側に回転させた際に、前記金属製把手の先端部が前記本体ケースの上面部に近付くように、前記金属製把手を折り曲げ形成していることを特徴とするレーザ墨出し器。
【請求項２】
前記レーザ照射部への電源供給を行う電池収納部を前記本体ケースの側面部に突設するとともに、前記金属製把手を、前記電池収納部の両側部に鉛直方向に直交する方向を回転軸として回転自在に支持させ、前記金属製把手が回転して前記支持部側に位置したときに、前記金属製把手の先端部が前記電池収納部の外側面部に当接する程度に、前記金属製把手を折り曲げ形成していることを特徴とする請求項１記載のレーザ墨出し器。  
【請求項３】
前記各レーザ照射窓は、前記金属製把手を前記支持部とは反対側に回転させて前記本体ケースの前記角部に当接させた際に、前記金属製把手により塞がれない位置に形成されていることを特徴とする請求項１又は２記載のレーザ墨出し器。
【発明の詳細な説明】
【技術分野】
【０００１】
本発明は、レーザによるライン光を利用して墨出しを行うレーザ墨出し器に関する。
【背景技術】
【０００２】
従来より提供されているレーザ墨出し器では、持ち運び用のバンドをレーザ墨出し器の本体ケースに取着して持ち運びを容易に行えるようになっている（特許文献１）。
【特許文献１】特開２０００−２９８０２２号公報（第１図）
【発明の開示】
【発明が解決しようとする課題】
【０００３】
上述のレーザ墨出し器では、誤ってレーザ墨出し器をその上面側から地面に落下させてしまった場合、水平方向に回転自在に本体ケースに取着されている持ち運び用のバンドが自重により回転して地面側に位置して、この持ち運び用のバンドから地面と衝突することになる。このとき、持ち運び用のバンドが例えば柔らかい皮製のものであれば、このバンド自体が撓んでしまうため、落下の際の衝撃を緩衝してレーザ墨出し器を保護することができない。また持ち運び用のバンドを例えば硬い金属製の把手にしただけでは、バンドの先端が地面に当たって生じる衝撃がバンドを回転自在に支持している部位にそのまま伝わるので、落下の際の衝撃を何ら緩衝することなくレーザ墨出し器に伝えてしまい、皮製のバンドと同様にレーザ墨出し器を保護することができない。このように、レーザ墨出し器が落下した際にその衝撃を緩衝できないと、光学系の精度が低下して、レーザの出射方向のずれを引き起こす等の問題があった。
【０００４】
本発明は上述の点に鑑みて為されたもので、その目的は、レーザ墨出し器を誤って落下させても、落下の際の衝撃を緩衝して光学系の精度の低下を抑えることができるレーザ墨出し器を提供することである。
【課題を解決するための手段】
【０００５】
上述の課題を解決するために、請求項１の発明では、墨出しのためのレーザ光を照射するレーザ照射部、及び前記レーザ照射部を鉛直方向に起立した姿勢を保つように揺動自在に支持するジンバル機構部からなる本体部と、レーザ照射部からのレーザ光を外部へ出射するためのレーザ照射窓を複数有するとともに、鉛直方向に直交する方向を回転軸として回転自在に支持される略コ字状の金属製把手を有して前記本体部を覆う本体ケースと、前記本体部を鉛直方向を回転軸として回転自在に支持する支持部とを備えたレーザ墨出し器において、前記金属製把手を前記支持部とは反対側に回転させた際に、前記金属製把手の先端部が前記本体ケースの上面部に近付くように、前記金属製把手を折り曲げ形成していることを特徴とするレーザ墨出し器とした。
【０００６】
請求項１の発明によれば、レーザ墨出し器がその上面部側から地面に落下した際、金属製把手が自重により地面側に位置して、その折り曲げ方向に変形しようとすることで落下による衝撃を緩衝できる。これにより、レーザ墨出し器の本体部の破損を防ぐとともに、衝撃によりレーザ照射部の光学系の精度が低下することを抑えることができる。
【０００７】
請求項２の発明では、請求項１の発明の構成に加えて、前記レーザ照射部への電源供給を行う電池収納部を前記本体ケースの側面部に突設するとともに、前記金属製把手を、前記電池収納部の両側部に鉛直方向に直交する方向を回転軸として回転自在に支持させ、前記金属製把手が回転して前記支持部側に位置したときに、前記金属製把手の先端部が前記電池収納部の外側面部に当接する程度に、前記金属製把手を折り曲げ形成していることを特徴とするレーザ墨出し器とした。
【０００８】
請求項２の発明によれば、レーザ墨出し器を載置した際に、金属製把手が自重によって回転して支持部側に位置しても、金属製把手が本体ケースから側方にあまり突出せず、これにより、レーザ墨出し器の使用者等が金属製把手に不用意に引っ掛かってレーザ墨出し器を転倒させてしまうことを防止できる。
【０００９】
請求項３の発明では、請求項１又は２の発明の構成に加えて、前記各レーザ照射窓は、前記金属製把手を前記支持部とは反対側に回転させて前記本体ケースの前記角部に当接させた際に、前記金属製把手により塞がれない位置に形成されていることを特徴とするレーザ墨出し器とした。
【００１０】
請求項３の発明によれば、レーザ墨出し器からレーザ光を出射させる際に、金属製把手が本体ケースの上面部と側面部との角部に位置していても、金属製把手によりレーザ照射窓が塞がれることがないので、レーザ照射窓からのレーザ光の出射を妨げられることがない。
【発明の効果】
【００１１】
本発明は、レーザ墨出し器がその上面部側から地面に落下した際、金属製把手が自重により地面側に位置してその折り曲げ方向に変形しようとすることで落下による衝撃を緩衝でき、これにより、レーザ墨出し器の本体部の破損を防ぐとともに、衝撃によりレーザ照射部の光学系の精度が低下することを抑えることができるという効果がある。
【発明を実施するための最良の形態】
【００１２】
本発明のレーザ墨出し器１は、図２（ａ）、（ｂ）に示すように、墨出しのためのレーザ光を照射するレーザ照射部２、及びこのレーザ照射部２を鉛直方向に起立した姿勢を保つように揺動自在に支持するジンバル機構部３とから構成される本体部４と、作業面に載置するための３本の支持脚５を備え、本体部４のジンバル機構部３を４本の支柱６を介して鉛直方向を回転軸として回転自在に支持する支持部７と、この支持部７の上面に被着され、本体部４を覆って保護するとともに、レーザ照射部２から照射されたレーザ光を外部へ出射するためのレーザ照射窓８を複数個備える本体ケース９と、本体ケース９の側面部９ｂに突設されて、レーザ照射部２に動作電力を供給するための電池を内部に収容する電池収納部１１と、電池収納部１１に回転自在に支持されるレーザ墨出し器１持ち運び用のコ字状の金属製の把手１０とを備えている。
【００１３】
本体部４は、レーザ照射部２とジンバル機構部３とから構成されており、レーザ照射部２は、縦長の照射部本体２ａを有し、照射部本体２ａの上部がジンバル機構部３によって全周方向に揺動自在に軸支されており、照射部本体２ａの下部には、半導体レーザと半導体レーザのレーザ光をスポット光に変換する光学系とを具備してレーザ光を鉛直下向きに照射するレーザ光出力部（図示せず）が取り付けられている。また照射部本体２ａの上部及び中間部には、半導体レーザと半導体レーザのレーザ光をライン光に変換する光学系とを具備して、レーザ光による垂直ライン又は水平ラインを照射する複数台のレーザ光出力部１２が取着されている。ジンバル機構部３は、レーザ照射部２をその照射部本体２ａの上部において、第１支軸の周りに揺動自在に軸支する枠体と、この枠体を第１支軸と直交する第２支軸の周りに揺動自在に軸支する支持体とを備えており、このジンバル機構部３は、レーザ照射部２を、全周方向に揺動自在に支持し、そのレーザ照射部２の自重により鉛直方向に吊持する。このため、上述したように、レーザ照射部２は、ジンバル機構部３により鉛直方向に起立した姿勢を保つように揺動自在に支持されることとなる。
【００１４】
支持部７は、レーザ墨出し器１を作業面に載置するための支持脚５を支持部７の底面に３本備え、また、その上面部に、本体部４のジンバル機構部３を４本の支柱６を用いて鉛直方向を回転軸として回転自在に支持する回転台（図示せず）を有している。従って、この回転台により、鉛直方向を回転軸として本体部４を回転させることができる。
【００１５】
本体ケース９は、上面部９ａを有する略円筒形状に形成され、支持部７の上面から被着されて本体部４を覆う際に、レーザ照射部２に取着されたレーザ光出力部１２から照射されたレーザ光を外部へ出射するためのレーザ照射窓８を、各レーザ光出力部１２に対応するようにして備えている。また、この本体ケース９の側面部９ｂにはレーザ照射部２に動作電源を供給するための電池を収納する縦長の箱状の電池収納部１１が突設されており、この電池収納部１１は、リード線を介してレーザ照射部２に電源を供給する。なお、前記リード線はレーザ照射部２の揺動を妨げないように可撓性を有するものが使用されている。
【００１６】
把手１０は、金属から略コ字状に形成されるとともに、その両側片部１０ａを後述するように折り曲げ形成され、その両側片部１０ａ間の部位である把手１０の先端部に使用者がレーザ墨出し器１を持ち運ぶ際に保持する保持部１０ｂを備えている。このようにして形成された把手１０は、両側片部１０ａの末端部を取着部１０ｃとして、この取着部１０ｃで電池収納部１１の両側部１１ｂ間を挟み込むようにして電池収納部１１の両側部１１ｂにより、鉛直方向に直交する方向を回転軸として回転自在に支持されている。
【００１７】
すなわち、この把手１０は、図１（ａ）に示すように、把手１０を取着部１０ｃで支持部７とは反対側に回転させた際に、保持部１０ｂが本体ケース９の上面部９ａに近付くように、両側片部１０ａで折り曲げ形成してある。また、把手１０を上述したように回転させて、把手１０の両側片部１０ａを本体ケース９の上面部９ａと側面部９ｂとの角部９ｃに当接させた際に、図１（ｂ）に示すようにレーザ照射窓８は、把手１０により塞がれない位置に形成してある。把手１０を上述したように折り曲げ形成するとともに、この折曲角度を、図２（ｂ）に示すように、把手１０が自重により回転して支持部７側に位置した際に、把手１０が本体ケース９から側方に突出しないように、保持部１０ｂが電池収納部１１の外側面部１１ａと当接するような角度としてある。
【００１８】
以上により本発明のレーザ墨出し器１は構成されており、次にこのレーザ墨出し器１が本体ケース９の上面部９ａ側から地面に落下した場合の把手１０の挙動について図３を用いて説明する。
【００１９】
レーザ墨出し器１がその本体ケース９の上面部９ａ側から地面１３に落下すると、図３（ａ）に示すように、把手１０は、自重により地面１３側に回転して、保持部１０ｂで本体ケース９の上面部９ａをかばうように本体ケース９の上面部９ａと地面１３との間に位置する。そのため、本体ケース９より先に把手１０がその保持部１０ｂから地面１３に衝突することになる。
【００２０】
この衝突の様子を図３（ｂ）に示す。把手１０が保持部１０ｂから地面１３に衝突すると、落下による衝撃で把手１０の保持部１０ｂに鉛直上方向の力が発生して両側片部１０ａが角部９ｃと当接し、このとき、上述したように把手１０は、両側片部１０ａを、保持部１０ｂが本体ケース９の上面部９ａに近付く方向に折り曲げ形成してあるため、把手１０に生じた落下による衝撃は、両側片部１０ａの折り曲げられた部位を支点として両側片部１０ａが変形しやすい方向である折曲方向、すなわち本体ケース９の上面部９ａの方向に、把手１０が両側片部１０ａで変形しようとすることにより、緩衝されることとなる。従って、レーザ墨出し器１が落下したとしても、この把手１０が緩衝機能を発揮することで、レーザ墨出し器１を落下による衝撃から保護することができる。
【００２１】
本実施形態によれば、レーザ墨出し器１が本体ケース９の上面部９ａ側から地面１３に落下しても、把手１０が自重により地面側に位置して、落下による衝撃を把手１０の両側片部１０ａが折曲方向に変形しようすることで緩衝することができる。これにより、レーザ墨出し器１の本体部４の破損を防ぐとともに、衝撃によりレーザ照射部２の光学系の精度が低下することを抑えることができる。また、レーザ墨出し器１を載置した際に、把手１０が本体ケース９から側方にあまり突出しないようにしてあるので、レーザ墨出し器１の使用者等が把手１０に不用意に引っ掛かってレーザ墨出し器１を転倒させてしまうことを防止できる。加えて、レーザ墨出し器１からレーザ光を出射させる際に、把手１０が本体ケース９の上面部９ａと側面部９ｂとの角部９ｃに位置していても、把手１０によりレーザ照射窓８が塞がれることがないので、レーザ照射窓８からのレーザ光の出射を妨げられることがなくなる。
【図面の簡単な説明】
【００２２】
【図１】（ａ）は、本発明のレーザ墨出し器の斜視図であり、（ｂ）は、同上のレーザ墨出し器の上面図である。
【図２】（ａ）は、同上のレーザ墨出し器のカバー被着前の側面図であり、（ｂ）は、同上のレーザ墨出し器のカバー被着後の側面図である。
【図３】（ａ）は、同上のレーザ墨出し器の落下時の概略説明図であり、（ｂ）は、同上のレーザ墨出し器の落下後の概略説明図である。
【符号の説明】
【００２３】
１    レーザ墨出し器
５    支持脚
７    支持部
８    レーザ照射窓
９    本体ケース
９ａ  上面部
９ｂ  側面部
９ｃ  角部
１０    把手
１０ａ  側片部
１０ｂ  保持部
１０ｃ  取着部
１１    電池収納部
１１ａ  外側面部
１１ｂ  側部
【図１】
2005181200.tif 000003
【図２】
2005181200.tif 000004
【図３】
2005181200.tif 000005